(57)【特許請求の範囲】
【請求項１】
地図を表示する表示板と、複数の指針と、指定された位置情報に基づいて前記指針を移動させて前記地図上の特定位置を指示する指針制御部と、を備え、
前記指針はそれぞれ回転軸により回動可能な少なくとも２本の指針であり、
前記指針制御部は少なくとも２本の前記指針の交点で前記特定位置を指示する
ことを特徴とする電子機器。
【請求項２】
請求項１に記載の電子機器において、
前記回転軸は、前記回転軸を結ぶ直線が前記地図の外側に設置される
ことを特徴とする電子機器。
【請求項３】
請求項１または請求項２に記載の電子機器において、
前記指針は３本以上が設置され、
前記指針制御部は、前記特定位置を指示する前記指針を除く他の前記指針を前記地図の外側へ退避させることを特徴とする電子機器。
【請求項４】
請求項１から請求項３の何れかに記載の電子機器において、
前記表示板の裏側に設置されて前記指針を駆動する指針駆動部と、前記表示板の裏側に設置されて外部からの信号を受信するアンテナとを有し、
前記指針駆動部および前記アンテナは、前記表示板に沿って互いに重ならないように配置されていることを特徴とする電子機器。
【請求項５】
請求項４に記載の電子機器において、
前記電子機器は時刻針および文字板を有する指針式の電子時計であり、
前記アンテナは前記文字板の３時方向または９時方向に配置され、
前記地図は前記文字板の１２時方向または６時方向に配置されていることを特徴とする電子機器。
【請求項６】
請求項４に記載の電子機器において、
前記アンテナは前記表示板の前記地図が表示された領域の裏側に配置され、
前記指針制御部は、前記アンテナが前記信号を受信する際に全ての前記指針を前記アンテナが配置された領域の外側へ退避させることを特徴とする電子機器。
【請求項７】
請求項４から請求項６の何れかに記載の電子機器において、
前記表示板には、前記地図の外側に前記信号の受信に伴う状態を表示する状態表示部が形成され、
前記指針制御部は、前記信号を受信する際に何れかの前記指針により前記状態表示部の特定位置を指示することを特徴とする電子機器。
【請求項８】
請求項１から請求項７の何れかに記載の電子機器において、
前記電子機器はワールドタイム機能を有する電子時計であり、
前記指針制御部は、前記現在位置情報のほか、前記ワールドタイム機能で指定されるタイムゾーンの代表都市の位置情報に基づいて前記指針を移動させて前記地図上の特定位置を指示することを特徴とする電子機器。
【請求項９】
地図を表示する表示板と、それぞれ回転軸により回動可能な少なくとも２本の指針とを用い、
指定された現在位置情報に基づいて前記指針を移動させ、少なくとも２本の前記指針の交点で前記地図上の特定位置を指示することを特徴とする位置表示方法。
【発明の詳細な説明】
【技術分野】
【０００１】
本発明は、位置を表示する電子機器およびこれらの機器で利用される位置表示方法に関する。
【背景技術】
【０００２】
近年、位置情報を含む衛星信号を受信して現在位置を表示する電子機器が利用されている。例えば、ＧＰＳ（Global Positioning System：全地球測位システム）あるいはガリレオ測位システム（Galileo positioning system）等では、衛星信号を発信する複数の人工衛星と同信号を受信する地上の受信装置とを用いる。このような受信装置では、受信した衛星信号に含まれる時刻情報および位置情報から演算を行い、得られた現在位置を表示等している。
【０００３】
このような測位システムにおいては、高精度な測位を実現するために時刻情報の高精度化が図られている。このため、衛星信号に含まれる時刻情報を利用すれば、高精度な時計機能を実現することができる。例えば、ＧＰＳ衛星における基準時計は０．５ｎｓ（ナノ秒）単位で正確に管理されている。このため、ＧＰＳ受信装置は、時刻合わせ等の管理が必要ない高精度時計あるいは高精度周波数基準器として利用することができる。
【０００４】
このようなＧＰＳ測位の基本は時刻に基づく距離測定であり、１５７５ＭＨｚ帯の準マイクロ波で各ＧＰＳ衛星が放送する各衛星の位置情報と位置測定用信号とを受信し、各衛星から受信位置までの距離を求め、受信位置の割り出しを行う。
ＧＰＳ受信装置における現在位置の計算には４衛星計測が利用される。
４衛星計測では、現在位置の３次元座標を３つの未知数とするとともに、低精度の内部時計の時刻情報と受信した高精度の時刻情報との差を４つ目の未知数とし、４つの衛星からの受信信号を用いて前述した４つの未知数を計算する。
このようにしてＧＰＳ受信装置には高精度の時刻情報が得られる。
【０００５】
ＧＰＳ受信装置における時刻情報の取得としては１衛星計測も利用される。
現在のＧＰＳ衛星からの信号にはＣ／Ａコードと呼ばれる情報が含まれており、このＣ／Ａコードは擬似距離を測定するためのタイムマークとしての役割と、各ＧＰＳ衛星の識別符号としての役割とを持っている。従って、１個だけのＧＰＳ衛星からの信号であっても、Ｃ／Ａコードを解読することで０．１秒単位の精度での時刻補正が可能である。
ＧＰＳ衛星の軌道は上空約２００００〜２７０００ｋｍであるから、地上までの電波到達時間は６６．６〜９０ｍｓ（ミリ秒）程度であり、これによりＧＰＳ受信装置の時刻情報を補正することができる。
【０００６】
ところで、近年の測位システムにおいては受信装置の小型化が進み、これに伴い腕時計などの携帯型電子機器への組み込みが進められている。例えば、特許文献１には受信装置として腕時計と携帯端末のセットを用いる現在位置表示システムが開示され、特許文献２には、受信装置としての携帯端末あるいは腕時計が開示されている。
【０００７】
特許文献１に記載の現在位置表示システムは、基本的に腕時計を受信装置として用いるが、大容量化が避けられない各種地図データを供給するために腕時計とデータ通信可能な携帯端末（電子手帳や携帯電話）を用いる。携帯端末は通常の腕時計より記憶容量を大きくとれ、携帯電話であればネットワークから地図データを取得することも可能である。
このシステムにおいて、腕時計は衛星信号を受信し、現在位置情報を割り出す。腕時計の要求に応じて、携帯端末は地図データを供給する。腕時計は、得られた地図データを用いて、先に割り出した現在位置を表示する。地図および現在位置の表示には腕時計の液晶表示パネルが用いられる。これらの表示は携帯端末側の液晶表示パネルにも行われる。
【０００８】
特許文献２に記載の受信装置は、機器を小型化した際にも十分な表示領域面積および受信アンテナ面積が確保できるように、機器表面に大面積の液晶パネルを配置し、その裏にアンテナを設置し、受信時には表示動作を停止してアンテナの受信動作への影響を回避し、非受信時には大面積での表示動作を実現する。
なお、特許文献２には、図６のように、現在位置情報を緯度経度による文字表示を行ったり、位置情報ログによる経路表示を行ったりする例示がある。
【０００９】
【特許文献１】特開２０００−１８０１９７号公報
【特許文献２】特開２００１−２７６８１号公報
【発明の開示】
【発明が解決しようとする課題】
【００１０】
前述した測位システムが組み込まれた携帯型電子機器においては、情報表示という機能的な優先性から、液晶等の表示パネルを用いて地図および現在位置を画像表示し、あるいは現在位置情報を文字表示するものであった。
現在位置の緯度経度などの文字表示は、正確であるものの感覚的あるいは概略的な把握には適していない。一見して現在位置を理解できるようにするためには、地図を用いた現在位置の表示が望ましい。  しかし、従来の画像表示では、地図とその特定位置を示すマーカとの両方を表示パネルに一括して表示するため、マーカが地図のどこにあるかを判別しにくいという問題があった。
さらに、腕時計においては、外観上の質感や装身具としての高品位性が求められることから、表示部分に大きな表示パネルを設置することは好ましくない。さらに、表示パネルに多用される液晶表示パネルでは、表示を維持するために消費電力が増大することにもつながる。
【００１１】
本発明の目的は、指示された位置が解りやすくかつ外観的な質感を良好にできる電子機器および表示方法を提供することにある。
【課題を解決するための手段】
【００１２】
本発明の電子機器は、地図を表示する表示板と、複数の指針と、指定された位置情報に基づいて前記指針を移動させて前記地図上の特定位置を指示する指針制御部と、を備え、前記指針はそれぞれ回転軸により回動可能な少なくとも２本の指針であり、前記指針制御部は少なくとも２本の前記指針の交点で前記特定位置を指示することを特徴とする。
【００１３】
このような本発明においては、現在位置あるいはその他の位置の位置情報が指定されることで、この位置情報に基づいて位置表示が行われる。
指定される位置情報としては、例えば外部から入力される位置情報、ＧＰＳ等の測位システムで得られる現在位置情報、ワールドタイム機能として設定される各タイムゾーンの代表都市の位置情報などが利用できる。
位置表示の際には、地図を表示板に表示した状態で、地図に対して指針を移動させ、地図上の特定位置を指示する。これにより、地図上に指示された特定位置を指定された位置として識別できる。この際、表示板に表示される地図に対して指針が別であるため、指針による特定位置の判別が容易にできるようになる。
【００１４】
本発明では、指針を複数とすることで、二次元に展開する地図の各部を指示することができる。複数の指針による地図上の特定位置の指示は、それぞれ回転軸により回動可能な少なくとも２本の指針で交点を結ぶ構成とする。指針は少なくとも２本が設置されていればよく、３本以上の指針を設置してそのうち何れか２本を選択して交差させてもよく、あるいは３本以上の指針を一点で交差させる構成としてもよい。
本発明では、表示板に固定的に形成された地図を用いることで、地図あるいは現在位置情報の表示に液晶等の表示パネルを用いる必要がなく、一層良好な質感を維持することができる。地図に対する指示も指針式であるため、例えば指針式の時計に適用する場合でも外観上の違和感がなく、良好な質感を維持することができる。
【００１５】
なお、表示板および地図としては、金属やセラミックス等の質感に優れた材料を用いた表示板の表面を表示板として用い、この表示板に印刷あるいは彫刻等により地図を形成した構成が利用できる。あるいは、質感の良好なガラス板や高機能プラスチックの表面を表示板とし、その裏面に地図パターンを刻印したり、地図が刻印された金属薄膜を貼ったりして、ガラス板の表示板側から地図が透視できるような構成であってもよい。
本発明において、地図を表示する液晶等の表示パネルと、表示された地図上の特定位置を指示する指針を用いてもよい。この場合でも、指針と表示パネルが別れているため、指針による特定位置の指示が判別しやすい。また、腕時計等に適用した場合でも、指針があることで、表示パネルによる印象を緩和することができ、質感の向上に効果性が期待できる。このような表示パネルを用いた場合、表示する地図のスケール切り替えや別の地図の表示等が自由に行えるという効果がある。
【００１６】
本発明においては、少なくとも２本の指針の交点により地図上の一点を明瞭に指示することができる。交差する指針が周囲に延びることから、交点の位置を追跡することも容易であり、現在位置の感覚的な把握に好適である。
さらに、指針をそれぞれ回転軸により回動する構成とすることで、表示板には回転軸の貫通孔しか生じないため、外観性を良好にできる。
前述のように、特定位置で交差させる指針は２本でもよいが、３本以上を特定位置で交差させてもよい。多数の指針が交点に集中することで、特定位置に対する視線の誘導を効果的に行うことができる。
表示板における地図の配置によっては、２本の指針だけでは交点が結べない領域が大きく、地図の大きさが制限される等の可能性がある。しかし、３本以上の指針を配置して何れかを選択的に用いることで、表示板において交点を結べる領域を拡げることができる。
表示板における利用可能領域の拡大により、地図の大型化も可能となる。あるいは、地図に対して短い指針を用いることが可能となり、指針の動作スペースが制限される場合でも大きな地図を利用できる。
【００１７】
本発明の電子機器において、前記回転軸は、前記回転軸を結ぶ直線が前記地図の外側に設置されることが望ましい。
このような本発明においては、各々の回転軸を結ぶ直線が地図の外側となるように指針を設置することで、各指針の回転軸が地図と干渉しないとともに、各指針をもう一方の指針の回動軸に向ける簡単な操作でこの指針を地図の外側へと退避した状態（地図の特定位置を指示しない非指示状態）とすることができる。
【００１８】
なお、本発明において、特定位置を指示する構成としては、指針を交差させる方式に限らず、何れか３本以上の指針で囲むことで特定位置を指示する構成としてもよい。
このような本発明においては、前述した交点に代えて３本以上の指針で囲まれた領域によって特定位置を指定することができ、交点に比べて同領域が大きく視認できることから、直感的な判別も容易になる。また、指示すべき特定位置を隠すことがないため、特定位置を判別しやすくできる。さらに、例えば地図に都市名が描かれている場合など、この都市名を囲んで指示する等の利用が可能となる。
【００１９】
本発明の電子機器において、前記指針は３本以上が設置され、前記指針制御部は、前記特定位置を指示する前記指針を除く他の前記指針を前記地図の外側へ退避させることが望ましい。
このような本発明においては、例えば３本以上の指針のうち何れか２本を選択し、選択した２本の指針の交点により地図上の一点を明瞭に指示することができる。そして、選択しない指針については、地図の外側へと退避した状態（地図の特定位置を指示しない非指示状態）とすることで、選択した指針による地図の特定位置の指示を妨げることがない。
【００２０】
本発明の電子機器において、前記表示板の裏側に設置されて前記指針を駆動する指針駆動部と、前記表示板の裏側に設置されて外部からの信号を受信するアンテナとを有し、前記指針駆動部および前記アンテナは前記表示板に沿って互いに重ならないように配置されていることが望ましい。
このような本発明においては、アンテナと指針駆動部とが重ならないため、機器としての厚さを抑えることができるとともに、指針駆動部がアンテナの受信の妨げになることを回避できる。
なお、外部からの信号としては、アンテナで受信される無線通信による信号が利用でき、例えばＧＰＳ等の測位システムで用いられる衛星信号とすることができる。
【００２１】
本発明の電子機器において、前記電子機器は時刻針および文字板を有する指針式の電子時計であり、前記アンテナは前記文字板の３時方向または９時方向に配置され、前記地図は前記文字板の１２時方向または６時方向に配置されていることが望ましい。
このような本発明においては、地図を１２時方向（１０時方向から２時方向の領域）または６時方向（４時方向から８時方向の領域）とすることで横長となる世界地図を用いた場合に好適であるとともに、アンテナを３時方向（１時方向から５時方向の領域）または９時方向（７時方向から１１時方向の領域）とすることで、地図と重ならず、かつ装着するユーザの身体による遮蔽を受けることを回避できる。
【００２２】
本発明の電子機器において、前記アンテナは前記表示板の前記地図が表示された領域の裏側に配置され、前記指針制御部は、前記アンテナが前記信号を受信する際に全ての前記指針を前記アンテナが配置された領域の外側へ退避させることが望ましい。
このような本発明においては、アンテナを表示板の裏側に配置することで、機器本体への組み込みを容易にできるとともに、アンテナおよび地図の各々に広い領域を確保することができる。ここで、表示板の地図上に指針が配置されているとアンテナの受信を妨げる可能性があるが、アンテナの外側へ退避させることでこれを回避することができる。指針の退避は、地図の外側まで移動させてもよいが、少なくともアンテナの設置領域を避けられれば十分といえる。
【００２３】
本発明の電子機器において、前記表示板には前記地図の外側に前記信号の受信に伴う状態を表示する状態表示部が形成され、前記指針制御部は、前記信号を受信する際に何れかの前記指針により前記状態表示部の特定位置を指示することが望ましい。
信号の受信に伴う状態としては、受信感度あるいは測位感度、受信に伴う測位の進捗状況、受信できた衛星数などを適宜選択することができる。
状態表示部としては、表示板に１，２，３等の段階マークやレベルマーク、あるいは「信号受信中」「位置計算中」「測位完了」等の状態マークを形成しておき、現在状態に応じて指針で各マークを指示する構成が利用できる。
このような本発明においては、指針を退避させてアンテナの受信を妨げないようにできるとともに、何れかの指針により地図の外側の状態表示部を指示して信号の受信に伴う状態を表示することができる。
【００２４】
本発明の電子機器において、前記電子機器はワールドタイム機能を有する電子時計であり、前記指針制御部は、前記現在位置情報のほか、前記ワールドタイム機能で指定されるタイムゾーンの代表都市の位置情報に基づいて前記指針を移動させて前記地図上の特定位置を指示することが望ましい。
このような本発明においては、通常は衛星信号から得られる現在位置を表示するとともに、操作により他のタイムゾーンの位置を地図上に表示することができる。このような表示を見ながら操作を行うことで、ワールドタイム機能の設定を視覚的に解りやすく行うこともできる。
なお、ワールドタイム機能としては、世界標準時（ＵＴＣ、Coordinated Universal Time）に対して所定のオフセットで表される各タイムゾーンの時刻を任意に設定あるいは並行表示できる既存の機能が利用できる。
【００２５】
本発明の位置表示方法は、地図を表示する表示板と、それぞれ回転軸により回動可能な少なくとも２本の指針とを用い、指定された位置情報に基づいて前記指針を移動させ、少なくとも２本の前記指針の交点で前記地図上の特定位置を指示することを特徴とする。
このような本発明の位置表示方法においては、位置を表示する各種電子機器に適用することで、前述した本発明の電子機器で説明した作用効果を得ることができる。
【発明を実施するための最良の形態】
【００２６】
以下、本発明の具体的な実施形態を図面に基づいて説明する。
〔第１実施形態〕
図１ないし図３には、本発明の第１実施形態が示されている。
図１は、本発明に係る電子機器であるＧＰＳ時刻修正装置付き腕時計１の表面外観を示す概略図である。図２は、腕時計１の内部構造を示す概略図である。図３は、腕時計１に内蔵される制御システムの概略ブロック図である。
腕時計１は、地球の上空を所定の軌道で周回している複数のＧＰＳ衛星（図示省略）からの衛星信号を受信して衛星時刻情報を取得し、内部時刻情報を修正できるように構成されたものである。
【００２７】
図１に示すように、腕時計１は扁平な円筒状のケース１Aを備えている。
ケース１Aの表面側には、文字板２および時刻針３からなる時刻表示部が設置される。時刻針３は、秒針、分針、時針等を備えて構成される。これらの時刻表示部は透明なカバーガラス等で覆われる。ケース１Aの側面には、外部操作用のリュウズ４A、ボタン４B，４Cが配置される。
【００２８】
図２に示すように、ケース１Aの内部には、前述した時刻針３を駆動するためのステップモータ３A、このステップモータ３Aの動力を時刻針３に伝達する歯車列３Bが設置されるとともに、ＧＰＳ衛星からの衛星信号を受信するアンテナ５が設置される。
アンテナ５は、文字板２における６時方向、つまり腕時計として装着した際にユーザの身体に近い側とされる。このような配置により、アンテナ５においては、ユーザの身体とは反対側が広く上空に向かうことで、ＧＰＳ衛星からの衛星信号の受信性能が良好になる。
【００２９】
裏側にアンテナ５が設置される関係で、文字板２には非導電性のセラミックス材料あるいはプラスチック材料から製造された板材が用いられる。なお、アンテナ５を別の部位に配置できるなら、文字板２を金属板とすることができる。例えば、腕時計１の裏蓋を非金属とし、ここにアンテナを設置してもよい。外部信号として長波の時刻信号を受信する場合など、裏蓋位置であっても人体に影響されずに受信を行うことができる。
ケース１Aの内部には、腕時計１の各種動作を制御する制御回路１０（図３参照）が実装された回路基板（図示省略）が設置される。
【００３０】
図３に示すように、制御回路１０は、ＣＰＵ（中央処理装置）１１、ＲＡＭ（ランダムアクセスメモリ）１２、ＲＯＭ（読み出し専用メモリ）１３、これらを結ぶバス１４を有するコンピュータシステムを基本構成とし、ＣＰＵ１１がＲＯＭ１３に格納されたプログラムを読み出し、ＲＡＭ１２を主記憶として同プログラムを実行することで、各種機能（例えば内部時刻情報の管理および時刻の表示制御）が実現されるようになっている。
【００３１】
制御回路１０には、周辺装置として、表示装置１５、入力装置１６、ＧＰＳ装置１７が設けられる。本実施形態において、表示装置１５は、前述したステップモータ３A、歯車列３Bおよび時刻針３である。入力装置１６は、前述した操作入力用のリュウズ４A、ボタン４B，４Cである。ＧＰＳ装置１７は、前述したアンテナ５から衛星信号を受信し、この信号に含まれる時刻情報および位置情報を取り出すことが可能であり、時刻情報は前述した内部時刻情報の修正に利用され、位置情報は本発明の位置表示に利用される。
以上の内部機構あるいは制御回路には既存の構成を適宜利用することができる。
【００３２】
図１に戻って、文字板２は本発明の表示板とされ、文字板２の表面には地図２１が形成され、その上縁に沿って回動式の指針２２，２３が配置されている。
地図２１は世界地図とされ、世界中の任意の場所に移動した際には、その現在位置が指針２２，２３表示される。世界地図としては、既存の図法によるものが適宜利用でき、日本を中心としたミラー図法に限らず、他の図法を用いてもよい。
【００３３】
地図２１は、文字板２の表面に彫刻あるいは印刷などの手段により固定的に形成される。文字板２として透明な材料を用い、その裏面に地図２１のパターンを裏向きに刻印または印刷してもよい。あるいは、地図２１をフィルムに印刷しておき、このフィルムを透明な文字板２の裏面に貼る等してもよい。すなわち、表示板である文字板２は、その表面側から地図２１が正規の状態で視認することができればよい。
【００３４】
指針２２，２３は、回転軸２２A，２３Aを有し、これらを軸として文字板２の表面に沿って回動可能である。
図２に示すように、回転軸２２A，２３Aは文字板２を貫通し、ケース１Ａ内部に設置された指針駆動部であるステップモータ２２Ｂ，２３Ｂに連結されている。なお、指針駆動部としてはステップモータ２２Ｂ，２３Ｂだけでなく、ステップモータ２２Ｂ，２３Ｂと回転軸２２A，２３Aとを結ぶ歯車列をも含む。これらのステップモータ２２Ｂ，２３Ｂの動作制御も、前述した制御回路１０により行われる。
【００３５】
なお、ステップモータ２２Ｂ，２３Ｂ、前述した時刻針３の駆動用のステップモータ３Aおよび歯車列３B、アンテナ５は、文字板２の裏側に配置される比較的大きな構成要素であるが、各々は互いに文字板２の平面方向に重ならないように配置されている。これにより、腕時計１としての厚さを抑えることができるとともに、アンテナ５の受信性能を妨げないようになっている。
【００３６】
回動に伴う指針２２，２３の移動軌跡２２Ｃ，２３Ｃは、図１に二点鎖線で示す通りである。地図２１は、２本の指針２２，２３の移動軌跡２２Ｃ，２３Ｃの重なり合う範囲内に収まるように形成されている。この範囲内では、２本の指針２２，２３が任意の位置で互いに交差可能である。従って、２本の指針２２，２３の交点により地図２１上の特定位置を指示することが可能である。
【００３７】
回転軸２２A，２３Aは、地図２１の上縁部分を挟んで両側に配置されている。回転軸２２A，２３Aの軸心を結ぶ線分は退避線２１Ｃとされ、この退避線２１Ｃは図１に一点鎖線で示すとおり、地図２１の上縁の外側に配置されている。なお、図１において、厳密には地図２１の絵柄の一部が退避線２１Ｃを超えているが、指針２２，２３による現在位置の指示に利用されない部分については退避線２１Ｃを超えることも許容される。
指針２２，２３は、退避線２１Ｃに沿って配置すること、つまり各々の先端を他方の回転軸２２A，２３Aに向けることにより、地図２１の実質的な外側に退避させることが可能である。
【００３８】
このような本実施形態において、地図２１上の特定位置を指示する処理としては、次のような手順が採用できる。
予め、地図２１における所定の緯度・経度毎に、当該緯度・経度位置で指針２２，２３が互いに交差する指針２２，２３の角度をデータテーブルとして作成しておき、ＲＯＭ１３に記憶しておく。
動作にあたっては、制御回路１０の制御のもと、衛星信号をアンテナ５で受信し、受信した信号をＧＰＳ装置１７で解析し、現在位置の緯度・経度を取得する（測位処理）。この処理の実行の際には、地図２１の特定位置を指示しない非指示状態とすることで、腕時計１が測位処理を実行中であることを表示する。具体的には、指針２２，２３を前述した退避位置（地図２１の上縁に沿って互いに向かい合って揃う位置）へ退避させることで、測位中の表示を兼用する。
次に、解析された現在位置に基づいて前述したＲＯＭ１３内のデータテーブルを参照し、現在位置の緯度・経度に対応する指針２２，２３の角度を読み出す。続いて、ステップモータ２２Ｂ，２３Ｂを作動させ、読み出した角度になるように指針２２，２３を移動させる。
以上により、指針２２，２３は地図２１上の特定位置に交点を結び、この交点は地図２１において現在位置を指示することになる。
なお、本実施形態において、データテーブルを用いるのではなく、衛星信号から得られた緯度・経度からの関数演算等により指針２２，２３の角度を取得してもよい。これらの計測から表示に至る手法は既存の技術を適宜利用することができる。
【００３９】
このような本実施形態によれば、以下のような効果がある。
本実施形態では、衛星信号から現在位置情報を割り出すとともに、表示板である文字板２に形成された地図２１に対して指針２２，２３を移動させて特定位置を指示することができる。
この際、指針２２，２３を複数とすることで、二次元に展開する地図２１の各部を指示することができる。これにより、地図２１上に指示された特定位置を現在位置として識別することができる。
特に、２本の指針２２，２３の交点を用いることで、地図２１上の一点を明瞭に指示することができる。交差する指針２２，２３が周囲に延びることから、交点の位置を追跡することも容易であり、現在位置の感覚的な把握に好適である。
【００４０】
本実施形態では、表示板である文字板２に地図２１を形成することで、地図あるいは現在位置情報を表示するための液晶表示パネル等を用いる必要がなく、腕時計１としての良好な質感を維持することができる。
また、前述の通り、地図２１に対する指示も指針２２，２３を用いる方式であるため、指針式の腕時計１に適用する場合でも外観上の違和感がなく、良好な質感を維持することができる。
【００４１】
本実施形態では、指針２２，２３は回転軸２２Ａ，２３Ａを有する回動式の指針としたため、文字板２に対しては回転軸２２Ａ，２３Ａの貫通部があればよく、外観性を損なうことがない。
本実施形態では、隣接する回転軸２２Ａ，２３Ａを結ぶ直線が地図２１の実質的に外側となるように設置することで、回転軸２２Ａ，２３Ａが地図２１と干渉しないようにできる。さらに、各指針２２，２３の一方を隣接する他方に向ける簡単な操作で、この指針を地図２１の実質的に外側へと退避した状態（退避位置）とすることができる。
【００４２】
このような指針２２，２３の退避を行うことで、アンテナ５の受信性能の確保にも効果がある。
すなわち、本実施形態のアンテナ５は、受信性能を確保するために文字板２における６時方向に設置され、文字板２の地図２１に対して裏側となる。従って、指針２２，２３がアンテナ５の受信にあたって妨害を生じる虞がある。しかし、本実施形態においては、受信処理の際には、指針２２，２３を退避位置つまり地図２１の実質的に外側となるように設置することで、アンテナ５の妨害を回避し、ＧＰＳ衛星からの衛星信号の受信性能を良好にできる。
【００４３】
〔第２実施形態〕
図４ないし図６には、本発明の第２実施形態が示されている。
図４は、本実施形態の腕時計１の表面外観を示す概略図である。図５は、本実施形態において指針２２，２３の角度の取得に用いるデータテーブル２６を示す図である。図６は、本実施形態においてデータテーブル２６に記録された角度データに基づく指針２２，２３の表示状態を示す図である。
本実施形態の腕時計１は、基本的に第１実施形態と同様な構成を備えているが、ワールドタイム機能を備えている点、およびワールドタイム機能に対応した位置表示を行う機能を有する点が異なる。従って、共通する構成については同じ符号を用いて重複する説明を省略するとともに、以下には異なる点について説明する。
【００４４】
図４において、本実施形態の腕時計１は、ワールドタイム機能を備えており、文字板２の周囲のベゼル２Ａにはワールドタイム設定のために各タイムゾーンの識別名としての代表都市名２Ｂが表示され、この表示を参照して各ボタン４Ｂ，４Ｃを操作することで各タイムゾーンの時間設定が可能である。なお、ベゼル２Ａにも表示されているように、腕時計１は各タイムゾーンにおける夏時間（ＤＳＴ：Daylight Saving Time）にも対応している。これらのワールドタイム機能は、既存の技術に基づいて制御回路１０に設定される。
【００４５】
図５には、本実施形態において指針２２，２３を回動制御に利用するデータテーブル２６が示されている。
データテーブル２６は、タイムゾーンに対応した複数のレコードで構成される。
各レコードは、タイムゾーン名ＴＺ、各タイムゾーンの協定世界時（UTC）に対するオフセットＯｆｓ、各タイムゾーンに設定した際の指針２２，２３の角度ＡＬ，ＡＲを備えている。
【００４６】
タイムゾーン名ＴＺには、ベゼル２Ａに表示された代表都市名２Ｂに準じた代表都市名が設定されている。
角度ＡＬ，ＡＲには、タイムゾーン名ＴＺに設定された代表都市の地図２１における位置を特定位置とし、この位置で指針２２，２３が交差するような指針２２，２３の角度が予め設定されている。
例えば、図５においてＵＴＣ＋９時間のタイムゾーン「ＴＯＫＹＯ」は、図６における地図２１上の位置Ｐ１となる。同様に、ＵＴＣ＋０時間のタイムゾーン「ＬＯＮＤＯＮ」は、図６における地図２１上の位置Ｐ２となる。
【００４７】
図６において、指針２２，２３が位置Ｐ１で交差する際の角度ＡＬ，ＡＲは、例えば退避線２１Ｃを基準として角度Ａ１，Ａ２となる。これに基づき、図５のデータテーブル２６のタイムゾーン「ＴＯＫＹＯ」の角度ＡＬ，ＡＲには角度Ａ１，Ａ２が登録される。同様に、タイムゾーン「ＬＯＮＤＯＮ」の角度ＡＬ，ＡＲには、図６の位置Ｐ２で指針２２，２３が交差する角度Ａ３，Ａ４が登録される。
従って、データテーブル２６の何れかのタイムゾーンを選択し、該当する角度ＡＬ，ＡＲに基づいて指針２２，２３を移動させれば、指針２２，２３の交点は選択したタイムゾーンの代表都市を地図２１上に指示することができる
【００４８】
このような本実施形態によれば、前述した第１実施形態と同様の効果に加えて、以下のような効果が得られる。
本実施形態では、ワールドタイム設定を行わない状態（通常の時刻設定）では、第１実施形態と同様、時刻針３により現在時刻を表示し、地図２１および指針２２，２３により現在位置を表示することができる。一方、ワールドタイム設定を行った状態では、設定されたタイムゾーンに応じた時刻を時刻針３に表示するとともに、設定されたタイムゾーンの代表都市の位置を地図２１上に表示することができる。
また、ワールドタイムの設定時に逐次地図２１および指針２２，２３の表示処理を実施することで、地図２１で代表都市の位置を見ながらタイムゾーンの選択を行うことができ、ワールドタイム設定の操作を容易かつ確実に行うようにすることができる。
【００４９】
〔第３実施形態〕
前述した各実施形態においては、衛星信号の受信ないし解析の処理中に、指針２２，２３を互いに向かい合って揃う退避位置に退避させ、これにより腕時計１が測位処理の実行中であることの表示を兼ねていた。
これに対し、測位中を示す専用の表示を用い、腕時計１が測位処理の実行中であることを表示するようにしてもよい。
【００５０】
図７において、指針２２，２３は地図２１の上縁に沿って配置され、各回転軸２２Ａ，２３Ａを結ぶ退避線２１Ｃは地図２１の外側に配置されている。退避線２１Ｃの図中上方（退避線２１Ｃを挟んで地図２１に対して反対側）には「測位中」という文字表示を有するマーカ２９が配置されている。なお、本実施形態における他の構成は前述した各実施形態と同様である。
【００５１】
このようなマーカ２９は、文字板２の表面に刻印あるいは印刷等で形成することができる。発光素子を用いて発光させてもよいが、指針２２，２３による表示だけでも十分その表示機能は達成できる。
指示にあたって、指針２２，２３はマーカ２９の直上で交差させてもよいが、測位中の文字が見えるように、マーカ２９の近傍に交点を結ぶようにしてもよい。
なお、マーカ２９は地図２１上の特定位置とは別に指針２２，２３で指示できればよく、例えば地図２１の下縁中央などに形成してもよい。
【００５２】
従って、このような専用のマーカ２９を配置しておけば、腕時計１が測位処理中はその旨を指針２２，２３およびマーカ２９で明示的に表示することができる。
このような明示的な表示により、他の理由で指針２２，２３が退避位置に退避する場合（腕時計１の異常など）と明らかに区別することができる。
【００５３】
〔第４実施形態〕
前述した第３実施形態では、測位中を示す専用のマーカ２９を配置したが、さらに衛星信号の受信ないし解析の処理状態を示す状態表示部を配置してもよい。
【００５４】
図８において、退避線２１Ｃの図中上方（退避線２１Ｃを挟んで地図２１に対して反対側）には、指針２２の回転軸２２Ａの上方に測位処理の進捗状況を示すマーカ群２８が配置され、指針２３の回転軸２３Ａの上方に衛星信号の感度を示すマーカ群２７が配置され、これらのマーカ群２７，２８による状態表示部により、腕時計１における測位処理の状態が表示されるようになっている。なお、本実施形態における他の構成は前述した各実施形態と同様である。
【００５５】
マーカ群２８は、複数のマーカ２８Ａ〜２８Ｄを有し、各々は指針２３の先端の軌跡に沿って配置されている。このうち、マーカ２８Ａはマーカ群２８のタイトルとして「進捗」の文字を備え、マーカ２８Ｂ〜２８Ｄは同処理の進捗状況に応じた「７０％」「５０％」「３０％」の文字を備えている。
マーカ群２７は、複数のマーカ２７Ａ〜２７Ｄを有し、各々は指針２２の先端の軌跡に沿って配置されている。このうち、マーカ２７Ａはマーカ群２７のタイトルとして「感度」の文字を備え、マーカ２７Ｂ〜２７Ｄは同処理の進捗状況に応じた「Level３」「Level２」「Level１」の文字を備えている。
なお、これらのマーカ２７Ａ〜２７Ｄ，２８Ａ〜２８Ｄは、それぞれ文字板２の表面に刻印あるいは印刷等で形成することができる。また、各々は発光素子を用いて発光させてもよい
【００５６】
このようなマーカ群２７，２８を有する腕時計１においては、現在位置の測位処理の際に、指針２２，２３を地図２１上から退避させるとともに、衛星信号の受信感度をマーカ群２７で表示し、測位処理の進捗状況をマーカ群２８で表示する。
先ず、ＧＰＳ装置１７（図３参照）において、アンテナ５に得られる衛星信号の受信感度を検査する。制御回路１０は、感度の検査結果に基づいて指針２２を移動させ、感度が高ければ指針２２の先端をマーカ２７Ｂに合わせ、感度「Level３」の表示を行う。感度が低ければ、順次指針２２の先端をマーカ２７Ｃまたはマーカ２７Ｄに合わせ、感度「Level２」「Level１」の表示を行う。
一方、ＧＰＳ装置１７（図３参照）における測位処理の進捗に伴って、制御回路１０は、指針２３を移動させて進捗状態を表示する。前述した感度の検査状態では、指針２３の先端はマーカ２８Ｄに合わせられ、「３０％」が表示される。その後の解析等の進行に伴い、指針２３の先端は順次マーカ２８Ｃ、マーカ２８Ｂに合わせられ、「５０％」「７０％」と進捗が表示される。
【００５７】
このような本実施形態によれば、マーカ群２７，２８による状態表示部を用いることで、腕時計１の測位処理における状態をより詳細に表示することができる。
また、状態表示部として地図２１に対して非表示状態となる指針２２，２３を有効活用することができる。
さらに、マーカ群２７，２８は簡単なマーカ２７Ａ〜２７Ｄ，２８Ａ〜２８Ｄを文字板２に形成するだけでよく、構造を複雑化させることを回避できる。
【００５８】
〔第５実施形態〕
前述した各実施形態においては、地図２１の特定位置を表示するために、地図２１の上縁に沿って回転軸２２Ａ，２３Ａを有する２本の指針２２，２３を用いていた。
これに対し、回転軸２２Ａ，２３Ａは地図２１の下縁あるいは左右の側縁に沿って配置してもよい。
さらに、指針は２本に限らず、３本以上を設置しておき、このうち２本を用いて地図２１上の特定位置を指示するようにしてもよい。
【００５９】
図９において、本実施形態では４本の指針２２〜２５が設置され、このうち２本を用いて交点を結ぶように構成されている。
地図２１の上縁には回転軸２２Ａ，２３Ａを有する指針２２，２３が配置され、地図２１の下縁には回転軸２４Ａ，２５Ａを有する指針２４，２５が配置されている。
本実施形態において、腕時計１としての他の構成は前述した各実施形態と同様であるため、重複する説明は省略する。
【００６０】
本実施形態においては、４本の指針２２〜２５のうち、指示すべき特定位置の地図２１上の部位に応じて何れか２本の指針を選択し、各々を交差させて特定位置に交点を結ぶように制御される。
図９に示す状態は、地図２１の図中左側に配置された指針２２，２４を用いて、地図２１上の特定位置「東京」を指示している。これは、特定位置「東京」が地図２１の中央より左側にあり指針２２，２４の指示可能範囲であることから指針２２，２４を選択し、各々により表示を行ったものである。
【００６１】
地図２１上の特定位置を指示する２本の指針は指針２２，２４の２本に限らず、他の２本を用いてもよい。例えば地図２１の上縁に沿いかつ左右方向の中央付近を指示する場合、指針２２，２３の２本を選択してもよく、地図２１の下縁に沿いかつ左右方向の中央付近を指示する場合、指針２４，２５の２本を選択してもよく、地図２１の右半分の領域を指示する場合、指針２３，２５の２本を選択してもよい。
選択しない他の指針は退避位置へ移動させておく。退避位置としては、隣接する指針の回転軸に向かう方向であればよく、例えば指針２２については、指針２３の回転軸２３Ａに向かう方向のほか、指針２４の回転軸２４Ａに向かう方向であってもよい。
【００６２】
このような表示を行うためには、先ず指針２２〜２５の選択を行い、次に選択した指針を所定角度に移動させ、併せて、選択しない他の指針は退避位置へ移動させる、という処理が必要である。
このような処理は、例えば前述した図５で説明したデータテーブル２６に類するデータテーブルが利用できる。図５のデータテーブル２６では指針２２，２３の角度ＡＬ，ＡＲの二つを設定したが、本実施形態で利用する場合には指針２２〜２５の角度Ａ２〜Ａ５の四つを設定しておく。
【００６３】
具体的には、各タイムゾーンの角度Ａ２〜Ａ５として、表示に用いる指針については代表都市を地図２１上で指示する角度を登録し、表示に用いない指針については０（退避位置）を登録しておく。
制御回路１０は、現在位置データまたはワールドタイム機能でのタイムゾーン設定に基づいて、該当するタイムゾーンの角度Ａ２〜Ａ５を読み出し、角度の登録が０である指針は非選択として退避位置に維持し、所定角度が登録された指針については選択された指針として同角度まで移動させる。これにより、選択された２本の指針により地図２１上の特定位置が指示され、かつ他の指針は退避位置に維持される。
【００６４】
このような本実施形態によれば、４本の指針２２〜２５を設置し、そのうち２本を用いて地図２１上の特定位置を表示することができる。
この際、４本の指針２２〜２５を用いることで、地図２１に対して各指針の長さを短くすることができ、表示板である文字板２が小さい場合、あるいは周囲に機械的干渉などの虞がある場合にも適用が容易である。
また、４本の指針２２〜２５を用いることで、各回転軸２２Ａ〜２５Ａで囲まれる長方形の領域内は全て何れか２本の指針で指示することができ、広さが限られた文字板２においても地図２１を大きく表示することができ、視認性を高めることができる。
【００６５】
なお、前述した第５実施形態では、４本の指針２２〜２５のうちの２本を選択して特定位置で交差させるとしたが、４本のうち３本の指針を交差させてもよい。なお、そのために、各指針は第５実施形態よりも長く形成する必要がある。このような構成においては、特定位置に３本の指針が集まることで、視認性を高めることができる。
さらに、３本の指針を用いれば、交点を結んで地図２１上の特定位置を指示するほか、３本の指針で地図２１の特定領域あるいは文字板２上の他の表示を包囲して指示することも可能である。
指針としては、更に多数の指針を設置してもよく、そのうち２本を選択するか、３本以上を選択するかは実施にあたって適宜設定すればよい。
【００６６】
なお、前記各実施形態では、地図２１を文字板２に固定的に形成したが、表示パネルによる地図の表示を用いても良い。
表示パネルとしては、一般的な液晶表示パネルを用いてもよい。表示パネルとして、電子ペーパー等に利用されるＥＰＤ（Electrophoretic Display、マイクロカプセル型電気泳動ディスプレイモジュール）を用いれば、表示を維持する動作が必要ないため、消費電力の低減に効果的である。
【００６７】
前述した各実施形態は、時刻針３を有する腕時計１に適用した例で説明したが、本発明の電子機器としては腕時計に限らず、卓上型など他の形式の時計であってもよい。ＧＰＳシステムの衛星信号を受信することが必須ではなく、独立型の時計に適用してもよい。このような独立型の時計であっても、ワールドタイム機能を有する時計では、世界地図上の位置を表示する需要がある。
また、本発明が適用される電子機器は時計に限らず、携帯型情報機器、車載型の情報機器などであってもよく、地図と指針を用いた簡略な位置表示であって良好な外観性が求められる機器に適用することで優れた効果が得られる。
【産業上の利用可能性】
【００６８】
本発明は、時刻情報および位置情報を含む衛星信号を受信する電子機器およびこれらの機器で利用される位置表示方法として利用でき、なかでも装身具としての外観的な質感が重視される腕時計などに好適に利用できる。
【図面の簡単な説明】
【００６９】
【図１】本発明に係る第１実施形態の表面外観を示す概略図である。
【図２】前記第１実施形態の内部構造を示す概略図である。
【図３】前記第１実施形態の制御システムの概略ブロック図である。
【図４】本発明に係る第２実施形態の表面外観を示す概略図である。
【図５】前記第２実施形態で用いるデータテーブルを示す図である。
【図６】前記第２実施形態における表示状態を示す図である。
【図７】本発明に係る第３実施形態の要部を示す図である。
【図８】本発明に係る第４実施形態の要部を示す図である。
【図９】本発明に係る第５実施形態の要部を示す図である。
【符号の説明】
【００７０】
１…電子機器であるＧＰＳ機能付き腕時計、２…表示板である文字板、３…時刻針、５…アンテナ、２１…地図、２１Ｃ…退避線、２２〜２５…指針、２２Ａ〜２５Ａ…回転軸、２２Ｂ，２３Ｂ…指針駆動部であるステップモータ、２６…指針制御用のデータテーブル。
【図１】
0005141265.tif 000002
【図２】
0005141265.tif 000003
【図３】
0005141265.tif 000004
【図４】
0005141265.tif 000005
【図５】
0005141265.tif 000006
【図６】
0005141265.tif 000007
【図７】
0005141265.tif 000008
【図８】
0005141265.tif 000009
【図９】
0005141265.tif 000010